【事件の表示】
　平成　９年特許願第２９７００８号「ファクシミリ装置」拒絶査定に対する審判事件［平成１１年　５月２１日出願公開、特開平１１−１３６４１８］について、次のとおり審決する。
【結　論】
　本件審判の請求は、成り立たない。
【理　由】
１．手続の経緯
　本願は、平成９年１０月２９日の出願であって、平成１３年７月１９日付で手続補正がなされ、平成１４年４月４日付で拒絶査定がなされ、これに対して、平成１４年５月９日付で審判請求がなされたものである。
　
２．本願発明
　本願の請求項６に係る発明（以下、「本願発明」という。）は、平成１３年７月１９日付手続補正書により補正された明細書及び図面の記載からみて、その特許請求の範囲の請求項６に記載された次のとおりのものである。
「【請求項６】　ファクシミリ装置本体に着脱可能であり、かつ、単独にハンディスキャナとして使用可能なスキャナを備え、
　上記本体には、ファクシミリ送信手段と、第１の符号化手段と、復号手段と、第１の制御手段とを備え、
　上記スキャナには、光学的画像読取手段と、該読取手段で読み取られた画像データを符号化する第２の符号化手段と、該符号化手段で符号化された画像データを記憶する手段と、第２の制御手段とを備えたファクシミリ装置であって、
　上記第２の制御手段は、上記第１の制御手段より上記記憶手段中の符号化画像データに対する要求に応じて、上記記憶手段中のデータを上記本体に供給し、上記第１の制御手段は上記スキャナから供給された符号化データを上記復号手段で復号後縮小処理を行ないその処理結果を上記第１の符号化手段で符号化し、その符号化データを上記送信手段で送信するように制御することを特徴とするファクシミリ装置。」
　
３．引用例
（１）引用例１
　これに対して、原査定の拒絶の理由に引用文献１として引用された特開昭６３−２４４９６６号公報（以下、「引用例１」という。）には、図面とともに以下の各記載がある。
　ア．「２．特許請求の範囲
　装置本体からの取りはずしが可能な読取部を有するファクシミリ装置において、前記読取部は読み取った画情報を記憶する記憶部と、この記憶部に記憶された画情報を保持させる電源と、
前記記憶部に記憶された画情報を前記ファクシミリ装置本体に送出させる制御部
　イ．「（問題点を解決するための手段）
　本発明はファクシミリ装置本体から読取部を取りはずすことが可能で、取りはずした状態でも原稿読取りを可能としたものである。
　読取部は読取った画情報を記憶するための記憶手段や電力を供給する手段、制御部を具備している。
　（作用）
　本発明では読取部を取りはずした状態でも読取りが可能なので、従来の一般原稿の他に、ハンドスキャナ方式で本等の厚い原稿の読取りや大きな原稿の部分読取りを行なうことができる。
　また、取りはずした読取部に画情報を記憶する記憶手段電力を供給する電源を具備しているのでファクシミリ装置本体との間にコードが不必要となり、読取部と装置本体との分離が可能となる。
　（実施例）
　第１図は、本発明の一実施例を示す機能ブロック図である。読取部１００は密着型イメージセンサ１１、コード部１２、記憶手段である画メモリ部１３、制御手段である読取制御部１４、画処理部１５、バッテリー電源１６で構成されている。また読取部１の内部バスｃはコネクタ１８を介してＰＩＸバスａと接続される。残りの部分は従来のファクシミリの装置構成と同じである。」（２頁上右欄６行〜同頁下左欄１０行）
　ウ．「第３図（ａ）及び（ｂ）は読取部１００をファクシミリ装置本体２１から取りはずし、本３０の１ページを読取る例である。
　この時、第１図においてコネクタ１８では読取部１が装置本体２１から取りはずされた時に内部バスｃとＰＩＸバスａが切り離される。この状態で読取り動作をするには、まずバッテリー電源１６をＯＮする。本の上で読取部１の下部の密着イメージセンサ１１を副走査方向に移動させ、読取りを開始する。読まれたデータは画処理部１５で画処理を受け、次にコード部１２で冗長圧縮されてから画メモリ部１３に取りこまれる。
　読取った画データを送信する時は分離していた読取部１を本体にセットする。するとコネクタ１８を介して、読取部１の内部バスｃと本体のＰＩＸバスａとが接続される。そして次に送信の設定にすると画メモリ部１３のデータは内部バスｃからコネクタ１８を通ってＰＩＸバスａに出力される。このデータはすでにコード化されているのでＣＯＤＥＣ部３で処理する必要はなく、直接バス間インターフェース１７を通ってＣＰＵバスｂに出力される。さらにモデム部７、ＮＣＵ部８を通って通信回線９へ送出される。」（２頁下右欄４行〜３頁上左欄６行）
　エ．ファクシミリ装置本体２１は、モデム部７とＮＣＵ部８、ＣＯＤＥＣ部３、ＣＰＵ等からなる制御部４を備えている。（第１図）
　これらの記載からみて、引用例１には、
「ファクシミリ装置本体２１に取りはずしが可能であり、取りはずした状態でもハンドスキャナ方式で原稿読取りが可能な読取部１００を備え、
　上記本体２１には、画データを送信するためのモデム部７やＮＣＵ部８と、ＣＯＤＥＣ部３と、ＣＰＵ等からなる制御部４とを備え、
　上記読取部１００には、密着型イメージセンサ１１と、該密着型イメージセンサ１１で読取った画データを冗長圧縮してコード化するコード部１２と、該コード部で冗長圧縮してコード化された画データを記憶する画メモリ部１３と、制御手段である読取制御部１４とを備えたファクシミリ装置２０であって、
　読取った画データを送信する時は分離していた読取部１００を本体２１にセットし、そして次に送信の設定にすると、上記読取制御部１４は、画メモリ部１３のデータをコネクタ１８を通して上記本体２１に出力し、このデータはすでにコード化されているのでＣＯＤＥＣ部３で処理することなく、モデム部７、ＮＣＵ部８を通して通信回線９へ送出するようにしたファクシミリ装置２０。」の発明（以下、「引用例１記載の発明」という。）が記載されている。
　
（２）引用例２
　また同じく、原査定の拒絶の理由に引用文献２として引用された特開平１−３１６０６５号公報（以下、「引用例２」という。）には、特に従来技術に係るものとして以下の記載がある。
「［従来の技術］
　ファクシミリ装置により、原稿画像を送信する場合、原稿読取部により読み取った原稿画像を、一旦メモリに蓄積してから送信するメモリ蓄積送信がよく行なわれている。また、送信原稿のサイズが、受信側である相手先の記録紙サイズより大きい場合、原稿画像を記録紙サイズに縮小してから送信することも行なわれている。
　［発明が解決しようとする課題］
　一般に、原稿画像をメモリに蓄積する場合、メモリ容量を削減するために、画情報を符号化によりデータ圧縮してからメモリに蓄積している。
　いま、例えば、Ｂ４サイズの送信原稿の画情報を符号化してメモリに蓄積し、送信のために受信側に発呼したとき、その受信側ファクシミリ装置の記録紙サイズが、Ａ４サイズであったとする。
　このとき、送信側ファクシミリ装置は、蓄積しているメモリの画情報を読み出し、復合化して元の画情報に戻した後、そのＢ４サイズの画情報をＡ４サイズの画情報に縮小し、そして、その画情報を再び符号化して受信側に送信している。
　この場合、画情報の復号化処理と符号化処理とを並行して実行しなければならないので、ファクシミリ装置には、その処理を行なう符号化復号化部を２つ配設する必要がある。」（１頁下右欄６行〜２頁上左欄１０行）
　
４．対比
　そこで、本願発明と引用例１記載の発明とを対比すると、
　引用例１記載の発明のファクシミリ装置本体から取りはずした状態でもハンドスキャナ方式で原稿読取りが可能な「読取部１００」は、本願発明のファクシミリ装置本体に着脱可能であり、かつ、単独にハンディスキャナとして使用可能な「スキャナ」に相当し、
　引用例１記載の発明のファクシミリ装置本体における「モデム部７とＮＣＵ部８」、「ＣＯＤＥＣ部３」は、それぞれ本願発明のファクシミリ装置本体における「ファクシミリ送信手段」、「第１の符号化手段」に相当し、また、引用例１記載の発明の読取部１００における「密着型イメージセンサ１１」、密着型イメージセンサで読取った画データを冗長圧縮してコード化する「コード部１２」、コード部で冗長圧縮してコード化された画データを記憶する「画メモリ部１３」は、それぞれ本願発明のスキャナにおける「光学的画像読取手段」、該読取手段で読み取られた画像データを符号化する「第２の符号化手段」、該符号化手段で符号化された画像データを記憶する「記憶手段」に相当し、
　さらに、引用例１記載の発明のファクシミリ装置本体における「ＣＰＵ等からなる制御部４」は、同じ本体内のＣＯＤＥＣ部３やモデム部７、ＮＣＵ部８等の各部の制御を司るものであることは自明といえ、後述の相違点を除いて、本願発明のファクシミリ装置本体における「第１の制御手段」に相当し、また、引用例１記載の発明の読取部１００における制御手段である「読取制御部１４」は、画メモリ部１３のコード化された画データ、すなわち符号化画像データを本体２１に出力する制御を行うものであり、後述の相違点を除いて、本願発明のスキャナにおける「第２の制御手段」に相当するということができるから、両者は、
「ファクシミリ装置本体に着脱可能であり、かつ、単独にハンディスキャナとして使用可能なスキャナを備え、
　上記本体には、ファクシミリ送信手段と、第１の符号化手段と、第１の制御手段とを備え、
　上記スキャナには、光学的画像読取手段と、該読取手段で読み取られた画像データを符号化する第２の符号化手段と、該符号化手段で符号化された画像データを記憶する手段と、第２の制御手段とを備えたファクシミリ装置であって、
　上記第２の制御手段は、上記記憶手段中のデータを上記本体に供給し、上記第１の制御手段は符号化データを上記送信手段で送信するように制御することを特徴とするファクシミリ装置。」
である点で一致し、次の点で相違する。
（相違点１）
　第２の制御手段による記憶手段中のデータの本体への供給制御が、本願発明では第１の制御手段より記憶手段中の符号化画像データに対する要求に応じて行われるものであるのに対し、引用例１記載の発明では、分離していた読取部１００を本体２１にセットし、そして次に送信の設定にすると行われる旨が記載されているにすぎない点。
（相違点２）
　本願発明では本体に復号手段が設けられ、第１の制御手段はスキャナから供給された符号化データを該復号手段で復号後縮小処理を行ないその処理結果を第１の符号化手段で符号化し、その符号化データを送信手段で送信するように制御するものであるのに対し、引用例１記載の発明では本体に復号手段が設けられることの記載はなく、制御部４は読取部１００から供給された符号化データを送信手段で送信するように制御しているにすぎない点。
　
５．当審の判断
　上記相違点について検討する。
（相違点１）について
　引用例１記載の発明において、具体的にどのようにして「送信の設定にする」のか明示されてはいないが、分離していた読取部を本体にセットした後であること、一般に、ファクシミリ装置の本体には相手先へのダイヤリング等のための操作部が設けられていることを考慮すれば、引用例１記載の発明における「送信の設定にする」ことも、ファクシミリ装置本体側の操作部等にて行われるものと解するのが妥当である。そして、「送信の設定にする」ことに応じて本体側の各部を制御している制御部４が、データを送信するために、該データを本体側へ供給するように指令等を行うのが当然であるといえるから、結局、引用例１記載の発明においても、読取部に設けられている読取制御部１４による記憶手段中のデータの本体への供給制御を、本体に設けられている制御部４からの要求に応じて行っているものと認められ、本願発明のように第２の制御手段による記憶手段中のデータの本体への供給制御を、第１の制御手段からの要求に応じて行うようにすることは当業者が適宜になし得る事項にすぎない（なお、この点について、さらに必要であれば、例えば特開平７−１９３６６３号公報の段落【００２５】、【００３５】等を参照されたい。本体側のＣＰＵ１１（第１の制御手段に相当）からの要求に応じて、画像読取部側のメモリ制御部２３（第２の制御手段に相当）が画像メモリ中の画像データを本体に供給することが記載されている。）。
（相違点２）について
　単独に使用可能なスキャナを備えるものか否かにかかわらず、読み取った画像テータを一旦メモリに記憶してから送信するようなファクシミリ装置においては、メモリ中に格納されているデータのサイズよりも、受信側の受信能力サイズが小さい場合、画像データを縮小してから送信する必要があることは周知の事項であり、引用例１記載の発明のように、単独で使用可能な読取部を備えるファクシミリ装置にあっても、画像データを縮小してから送信する必要もあり得ることは普通に予測されるところである。そして、画像データを縮小してから送信するための具体的手段として、例えば引用例２に記載のような、符号化画像データを符号化復号化部（復号手段として機能）にて復号化して元の画像データに戻した後縮小処理し、再び他の符号化復号化部（符号化手段として機能）にて符号化し、その符号化データを送信するという周知の構成を引用例１記載の発明においても採用することにより、読取部から本体に供給された符号化データを復号化するための復号手段を例えば本体側に付加し、本体の制御部４によって供給された符号化データを該復号手段で復号後縮小処理し、再びＣＯＤＥＣ部３にて符号化し、その符号化データを送信手段で送信するように制御する、すなわち本願発明のように、本体に復号手段を設け、第１の制御手段がスキャナから供給された符号化データを該復号手段で復号後縮小処理を行ないその処理結果を第１の符号化手段で符号化し、その符号化データを送信手段で送信するように制御するという構成とすることは当業者が容易になし得ることと認められる。
　そして、本願発明の構成に基づく作用効果についてみても当業者が予測し得る範囲内のものにすぎず、格別顕著なものがあるとはいえない。
　
６．むすび
　以上のとおり、本願発明は、引用例１及び引用例２に記載された発明に基づいて当業者が容易に発明をすることができたものであるから、特許法第２９条第２項の規定により特許を受けることができない。
　よって、結論のとおり審決する。